(57)【要約】  本発明は、品物が加えられた、又はそこから取り出されたとき、ユーザが手動で調節する外部タブ又は位置決め部材の必要なしに、所定の割り出された位置に品物を自動的に配置する、容器及び割出し装置を提供する。容器に品物を加える又はそこから取り出すことによってだけで、品物は、自動的に配置される。品物が台上に置かれる、又はそこから取り出されたとき、位置決め部材を有するトラックを有するポールが、トラック中を進み、台の位置を自動的に調節する、台のフィンガーを受け入れる。
2008540273.tif 000002
【特許請求の範囲】
【請求項１】
位置決め部材を有するトラックを有する垂直ポールと、
前記ポールを覆って取り付けるための穴を有するカラー及び前記カラーから突出し前記トラック中に受け入れられるフィンガーを含む台と、
前記台及び前記フィンガーを付勢するための前記ポール上に配置されたバネであって、前記バネの力に対抗し、前記トラックに沿った所定の位置に前記台を保持するために位置決め部材を係合させる、バネとを含む、容器。
【請求項２】
前記位置決め部材は、ノッチ及びデテントを含む、請求項１に記載の容器。
【請求項３】
前記台は、前記ポールを覆って前記台上に置かれたトイレット・ペーパのロールを受け入れるリムを含み、
前記位置決め部材は、前記ロールを取り出したとき、各ロールが前記容器の上部に隣接して配置され、そこから取り出すことができるように、前記ロールの高さにほぼ等しい間隔で互いに隔てられる、請求項１に記載の容器。
【請求項４】
前記トラックは、ふたとベースの間で前記ポールの長さ方向に沿って延在し、前記トラックが分岐する、少なくとも２つの停留場所を含み、
各場所は、前記位置決め部材を有する、請求項１に記載の容器。
【請求項５】
前記垂直ポールは、前記ポールに対する前記台の回転を防止するために、前記台の係合部材を受け入れるための溝を含み、
前記係合部材は、前記台が前記ポール上を進行する速度を限定するために、前記ポールに対して摩擦を生成する、請求項１に記載の容器。
【請求項６】
前記カラーに枢動するように取り付けられた旋回アームをさらに含み、
前記旋回アームは、前記トラック中を進むために、前記アームに対してその末端側終端で横方向に突出する前記フィンガーを有する、請求項１に記載の容器。
【請求項７】
前記フィンガーは、前記トラックの対応する形状の部分と係合し相互作用するために、相互作用を有する形状を有する、請求項６に記載の容器。
【請求項８】
前記フィンガーは、ダイアモンド形状であり、前記容器内で前記ポール上の第１の位置に前記台を保持する第１の位置決め部材によって、ロックされる、請求項７に記載の容器。
【請求項９】
前記台上に取り付けられる複数のトイレット・ペーパ・ロールをさらに含み、
トイレット・ペーパの最上位ロールが取り出され、前記台がわずかに押し下げられたとき、前記ダイアモンド形状のフィンガーは、前記台が上側に動くことが可能になるように、前記第１の位置決め部材から押し下げられる、請求項８に記載の容器。
【請求項１０】
少なくとも２つの停留場所をさらに含み、
各停留場所は、位置決め部材と、上昇トラックと、分岐した下降トラックとを含む、請求項１に記載の容器。
【請求項１１】
停留場所の間に延在するメイン垂直トラックをさらに含み、
前記第１の停留場所の前記上昇トラック及び前記下降トラックは、前記フィンガーと係合する傾斜面を形成し、前記フィンガーを前記下降トラックに向けて押す頂点で合い、したがって前記台が次の停留場所に向かって下側に進むことができる、請求項１０に記載の容器。
【請求項１２】
前記第１の場所は、前記上昇トラック中に、そして所定位置に前記台をロックするために前記フィンガーを受け入れるために位置決め部材に向けて、前記フィンガーを押し進めることになる傾斜面を含む、請求項１１に記載の容器。
【請求項１３】
前記台は、わずかに前記台を押し下げることによって、前記旋回アームの前記フィンガーが前記位置決め部材からリリースされ、前記旋回アームに働く重力によって、前記アームが垂直姿勢になるように動かされることによって、前記停留場所からリリースすることができ、したがって
そのフィンガーが前記メイン・トラック中に配置され、前記台が前記メイン・トラックに沿って上側に進むことができる、請求項１２に記載の容器。
【請求項１４】
前記台を押し下げて、前記トラックに沿って下側にそれを移動したとき、前記旋回アームのフィンガーは、前記傾斜面と係合し、したがって
前記旋回アームが次の場所に達するまで、前記フィンガーが前記下降トラック中を進む、請求項１２に記載の容器。
【請求項１５】
前記フィンガーは、３個のトイレット・ペーパ・ロールすべてが前記容器内の所定の位置につるされるように、第１の場所に前記台を配置する、請求項１に記載の容器。
【請求項１６】
ガイド・トラックを有するロッドと、
前記ロッドに配置され、相互作用を有する形状のフィンガーを有する台と、
前記台を動かす調整されたバイアス部材と、
前記台を割り出し、その位置を制御するために、前記相互作用を有するフィンガー及び前記調整されたバイアス部材と共同して働く位置決め部材とを含む、割出し装置。
【請求項１７】
複数の位置決め部材を有するトラックを有する垂直ポールを設けるステップと、
前記ポール上に台を取り付けるステップであって、前記台は、カラーを有し、前記カラーは、そこから突出し、前記トラック中に受け入れられ、第１の位置に前記台をロックするために第１の位置決め部材によって係合されるフィンガーを有する、ステップと、
前記第１の位置決め部材から前記フィンガーをリリースするために、前記台を押し下げるステップと、
バネによって前記台を上側に付勢して、前記トラック中で上側に前記フィンガーを押し進めるステップと、
第２の位置に前記台をロックするために、第２の位置決め部材によって前記フィンガーを係合するステップとを含む、容器から品物を取り出せるようにするための方法。
【請求項１８】
第１の停留場所を形成する前記トラックの分岐区域によって形成された、前記トラックの相互作用を有する面において前記フィンガーを係合するステップと、
前記フィンガーを上昇トラック又は下降トラック中に誘導するステップとをさらに含む、請求項１７に記載の方法。
【請求項１９】
前記台を押し下げている間、前記フィンガーを下降トラック中に誘導するステップと、
前記台を上側に押す前記バネのバイアス力によって、前記フィンガーを前記上昇トラック中に誘導するステップとをさらに含む、請求項１８に記載の方法。
【請求項２０】
少なくとも２つのトイレット・ペーパ・ロールを前記台上に搭載し、前記台を押し下げるステップと、
下側のロールの上に積まれた上部のロールが前記容器の上部に隣接して配置され、前記台が、第１の位置にロックされるように、第１の位置決め部材によって前記フィンガーをラッチするステップと、
前記第１の位置決め部材から前記フィンガーをリリースするために、わずかに押し下げることによって、前記上部のロールを取り外すステップと、
垂直姿勢になるように、旋回アームを引っ張る重力によって、前記旋回アームに取り付けられた前記フィンガーを再配置し、メイン・トラックに沿って前記フィンガーを配置するステップと、
前記容器の上部に前記下側ロールを再配置するために、メイン・トラックを進む前記フィンガーによって、前記ポールに沿って上側に前記台及び前記下側ロールを移動するステップと、
第２の位置に前記台をロックするために、第２の位置決め部材によって、前記フィンガーをラッチするステップとをさらに含む、請求項１９に記載の方法。
【発明の詳細な説明】
【技術分野】
【０００１】
本発明は、トイレット・ペーパ・ロールなどの品物を取り出すための容器であって、容器内で所定の位置に品物を正しく置くための位置決め部材を有するトラックを有する容器に関する。
【背景技術】
【０００２】
紙タオル及びトイレット・ペーパ・ロールなどの品物を保持し取り出すようになっている容器は、当技術分野ではよく知られている。そのようなディスペンサによって、きちんとしたおしゃれなロールの収納が可能になり、さらに、品物は、使用のために容易に取り出すことが可能になる。トイレット・ペーパ・ロールを収納するための容器は、中央ロッドとロッドを囲繞する円筒状ハウジングを有することが知られている。トイレット・ペーパの複数のロールは、ロッドの上に取り付けられ、ハウジング内に収納することができる。そのような容器は、トイレット・ペーパ・ロールを取り出すようにするために、容器の上部に向けて上側にトイレット・ペーパ・ロールを押すようにバネによって力が加えられたロッドの上に取り付けられた台を有することが知られている。
【発明の開示】
【発明が解決しようとする課題】
【０００３】
いくつかの知られた容器では、台の調節が可能であるが、容器のハウジングから延在するタブをユーザが手で操作する手動の調節が必要である。しかし、容器がトイレット・ペーパ・ロールなどの品物を、容器内のロール数に基づき、位置決めすることができるように、容器に自動的に簡単な割出し手段があることは知られていない。そのような割出し手段は、１本のトイレット・ペーパ・ロールを取り出したとき、容器では残されたロールが自動的に再配置され、したがってその後の使用には、それらに容易にアクセスして取り出すことができるようにすることが望ましいはずである。迅速容易に組み立てられ、容器内に品物を迅速容易に配置するための配置手段を有する容器を提供することも望ましい。
【課題を解決するための手段】
【０００４】
一実施例では、本発明は、位置決め部材を有するトラックを有する垂直ポールと、ポールを覆って取り付けるための穴を有するカラー、及びカラーから突出しトラック中に受け入れられるフィンガーを含む台と、台及びフィンガーを付勢するためのポール上に配置されたバネであって、バネの力に対抗し、所定の位置に台を保持するために位置決め部材を係合させる、バネとを含む、容器を提供する。一実施例では、容器は、ベース及びふたを有するハウジングを備えることができ、ふたは、ハウジングの上部に取り付けられる。一実施例では、垂直ポールは、ふたとベースの間に延在することができ、位置決め部材は、ノッチ及びデテントを含むことができる。一実施例では、バネは、ベースでポール上に配置することができる。
【０００５】
一実施例では、台は、ポールの上で台上に置かれたトイレット・ペーパのロールを受け入れるリムを含むことができ、位置決め部材は、ロールの高さにほぼ等しい間隔で互いに隔てられ、したがって各ロールは、容器の上部に隣接して配置し、そこから取り出すことができる。一実施例では、トラックは、ふたとベースの間でポールの長さ方向に沿って延在し、トラックが分岐する少なくとも２つの停留場所を含むことができ、各停留場所は、位置決め部材を有することができる。一実施例では、容器は、カラーに枢動するように取り付けられた旋回アームを含むことができ、旋回アームは、トラック中を進むためにアームに対してその末端側終端で横方向に突出するフィンガーを有することができる。
【０００６】
一実施例では、フィンガーは、トラックの対応する形状の部分と係合するために、相互作用を有する形に形作ることができる。一実施例では、フィンガーは、ダイアモンド形状であり、第１の位置決め部材によってロックされ、容器内のポール上の第１の位置に台を保持することができる。一実施例では、容器は、台上に取り付けられる複数のトイレット・ペーパ・ロールを含むことができ、トイレット・ペーパの最上位ロールを取り出し、台をわずかに押し下げたとき、ダイアモンド形状のフィンガーを、台が上側に動くことができるように、第１の位置決め部材から下側に押すことができる。
【０００７】
一実施例では、容器は、少なくとも２つの停留場所を含むことができ、各停留場所は、位置決め部材と、上昇トラックと、分岐した下降トラックとを含むことができる。一実施例では、容器は、停留場所の間に延在するメイン垂直トラックを含むことができ、第１の停留場所の上昇トラック及び下降トラックは、フィンガーと係合する傾斜領域を形成し、台が次の停留場所に向かって下側に進むことができるようにフィンガーを下降トラックに向けて押す頂点において、合うことができる。一実施例では、停留場所は、所定位置に台をロックするために、フィンガーを受け入れるための位置決め部材に向けて上昇トラックにフィンガーを押し進めることになる傾斜面を含むことができる。一実施例では、台は、わずかに台を押し下げることによって、旋回アームのフィンガーが位置決め部材からリリースされ、旋回アームに働く重力によってアームが垂直姿勢になるように動かされることによって、停留場所からリリースすることができ、したがってフィンガーは、メイン・トラック中に位置し、台は、メイン・トラックに沿って上側に進むことができる。
【０００８】
一実施例では、台を押し下げてトラックに沿って下側にそれを移動したとき、旋回アームのフィンガーは、傾斜面と係合し、したがってフィンガーは、旋回アームが次の場所に達するまで下降トラック中を進むことができる。一実施例では、フィンガーは、第１の場所に台を配置することができ、それゆえ３個のトイレット・ペーパ・ロールすべてを容器内の所定の位置につるすことができる。
【０００９】
一実施例では、複数の位置決め部材を有するトラックを有する垂直ポールを設けるステップと、ポール上に台を取り付けるステップであって、台は、カラーを有し、カラーは、そこから突出し、トラック中に受け入れられ、第１の位置に台をロックするために第１の位置決め部材中に配置されるフィンガーを有する、ステップと、第１の部材からフィンガーを取り外すために、台を押し下げるステップと、バネによって台を上側に付勢し、トラック中上側にフィンガーを進めるステップと、第２の位置に台をロックするために、第２の位置決め部材によってフィンガーをラッチするステップとを含む、容器から品物を取り出すようにするための方法を提供することができる。この方法は、トラックの傾斜面においてフィンガーと係合するステップと、第１の停留場所を形成するトラックの分岐区域を設けるステップと、上昇トラック又は下降トラック中にフィンガーを誘導するステップとをさらに含むことができる。
【００１０】
本方法は、台を押し下げている間、下降トラック中にフィンガーを誘導するステップと、上側に台を押すバネのバイアス力によって、上昇トラック中にフィンガーを誘導するステップとをさらに含むことができる。本方法は、少なくとも２つのトイレット・ペーパ・ロールを台上に搭載し、ロールの重さによってバネの上向きの力に対抗し台を下側に押すステップと、下側のロールの上に積まれた上部のロールが容器の上部に隣接して配置され、台が第１の位置にロックされるように、第１の位置決め部材によってフィンガーをラッチするステップと、第１の位置決め部材からフィンガーをリリースするために、わずかに押し下げることによって、上部のロールを取り外すステップと、垂直姿勢になるように、旋回アームを引っ張る重力によって、旋回アームに取り付けられたフィンガーを再配置し、メイン・トラックに沿ってフィンガーを配置するステップと、容器の上部に下側ロールを再配置するために、フィンガーによってメイン・トラックを進んで、ポールに沿って上側に台及び下側ロールを移動するステップと、第２の位置に台をロックするために、第２の位置決め部材中にフィンガーをラッチするステップとをさらに含むことができる。
【００１１】
保護が求められる本発明の主題を容易に理解するために、その実施例を添付図面に示し、それら図面を閲覧し、以下の説明と一緒に検討したとき、保護が求められる本発明の主題、その構造及び動作、並びに多くのその利点が容易に理解され認識されるはずである。
【実施例】
【００１２】
図１〜７に、本発明の容器１０の実施例を示す。容器１０は、ベース１７及びふた１８を有するハウジング１５を含む。一実施例では、ふた１８は、ヒンジ１９によってハウジング１５に取り付けられている。閉位置にふた１８をラッチするために、ハウジング１５の上部縁部２１とのスナップ式とすることができるラッチ２０が設けられる。下側に押したとき、ラッチ２０は、ふた１８が上側に枢動することができるように、上部縁部２１からリリースすることができる。一実施例では、ヒンジ１９は、ラッチ２０がリリースされたとき、自動的に開くようにふた１８を付勢するバネを含む。
【００１３】
図２に、分解図で、容器１０の内部アセンブリの構成要素を示す。ベース１７に、内部ベース２３が取り付けられる。内部ベース２３は、ベース１７と内部ベース２３をハウジング１５に取り付けるために、ハウジング１５の内壁と係合するスナップ式のタブを含むことができる。内部ベース２３に、サポート２２が取り付けられ、それに垂直ポール又はロッド２５が取り付けられる。ポール上に、コイル・バネ２７又はバイアス部材が取り付けられ、それは、ポール２５の底部に下に滑動し、サポート２２によってポール上に保持される。ポールに沿ってガイド溝２９（図７）が垂直に形成され、それについて以下でより詳細に説明する。
【００１４】
カラー３２及び円形リム３３を有する、台３０が設けられる。一実施例では、カラー３２は、円筒形であり、直径がポール２５の外径よりわずかに大きい穴３３（図７）を形成し、したがってカラー３２は、ポール２５を上下に自由に進むことができる。一実施例では、カラー３２の外径は、トイレット・ペーパ・ロールの芯の直径よりわずかに小さく、したがってロールがカラー３２に置かれ、リム２８によって支持される。したがって、図３に示すように、台３０は、容器１０内でポール２５に沿ってトイレット・ペーパ・ロール７１、７２及び７３を保持し位置付けるように働く。
【００１５】
カラー３２の内径には、その中に旋回アーム４０が取り付けられる。旋回アーム４０は、フィンガー４１を含み、それは、以下でより詳しく説明する。キャップ４２が、ポール２５の上部に取り付けられるように設けられ、それは、台３０がポール２５の上部から滑り出ないように、制止する。ボタン４３がふた１８に取り付けられ、ベゼル４４がスナップ式のタブを介してハウジング１５の上部に取り付けられる。ベゼル４４は、ふた１８を囲繞する。
【００１６】
一実施例では、容器は、内部ベース２３をベース１７に取り付け、次いでポール２５を内部ベース２３に締め付けることによって、組み立てられる。図５〜７に示すように、ポール２５は、環状リング４７又はサポート２２（図２）中の穴中にポール２５をスナップ式に嵌めることを可能にする他の締まりばめ機構を含む。次に、コイル・バネ２７がポール２５上に置かれる。次いで、ハウジング１５がベース２３上に、その中にスナップ式にタブを嵌め込むことによって、組み立てられる。次いで、台３０が、それに旋回アーム４０を取り付けることによって、組み立てられる。旋回アーム４０は、それがカラー３２上で自由に旋回することができるように、カラー３２の穴４９（図７参照）中に挿入される軸４９を含む。ピン４５が穴４９ａの反対側（約１８０°）でカラー３２上に取り付けられる。ピン４５は、開口部４６（図７）を貫通してカラー３２中に挿入することによって、カラー３２に取り付けられる。次いで、台３０は、ピン４５が溝２９中を進み、フィンガー４１がトラック５０中を進むように、ポール２９の上に配置される。一実施例では、トラック５０及び溝２９は、フィンガー４１及びピン４５をそれぞれ所定の位置に滑り込ませることができるように、ポール２５の上部縁部２１まで延在する。キャップ４２が、ポール２９上の所定の位置にカラー３２及び台３０を保持するために、ポール２９の上部に取り付けられる。ベゼル４４がハウジング１５の上部縁部２１に取り付けられ、ボタン４３がふた１８に取り付けられ、ふたのヒンジ１９がベゼル４４及びハウジング１５に取り付けられる。
【００１７】
本発明の実施例の容器１０の動作は、図３〜７を参照して、論議する。ガイド・トラック５０が、ベース１７とふた１８の間に延在するポールの一方側に沿って、一般に垂直に構成されており、そのときポールは、容器１０内に組み立てられる。ガイド・トラック５０は、メイン垂直トラック５１を含む。一実施例では、３箇所の停留場所６１、６２及び６３がトラック５０に沿って設けられる。各停留場所６１、６２及び６３におけるトラック５０は、分岐し、上昇トラック６５ａ、ｂ、ｃ及び下降トラック６６ａ、ｂ、ｃを含む。示す一実施例では、各停留場所６１、６２及び６３は、トイレット・ペーパ・ロールの高さに等しい間隔で互いに隔てられる。代替実施例では、停留場所は、変化する間隔によって隔てることができ、３箇所の停留場所より多く又は少なく含むことができ、他のタイプの品物についても動作可能である。各停留場所６１、６２及び６３は、ゲート又はノッチ６８ａ、ｂ、ｃ、並びにデテント６９ａ、ｂ、ｃなどの位置決め部材も含む。カラー３２は、旋回アーム４０がその上に取り付けられ、その旋回アームは、その末端部終端でフィンガー４１を含み、そのフィンガーは、トラック５０中を進む。
【００１８】
図３及び４に、フィンガー４１が第１の位置決め部材６９ａによってラッチされ、台３０が第１の位置にロックされている状態を示す。旋回アーム４０及びフィンガー４１の複数の位置も、図６及び７に示すダイアモンド４１ａ、ｄ、ｅ及び図５に示す旋回アーム４０ａ、ｂ、ｄによって表す。これらの図は、容器の動作中トラック５０に沿って、複数のアーム４０ａ、ｂ、ｄ及びフィンガー４１ａ、ｄ、ｅをどのように配置することができるかを説明する助けとするためだけに、それらを表していることを理解すべきである。しかし、一実施例では、図２及び３に示すように、１個のフィンガー４１を有する１個の旋回アーム４０だけが存在する。第１の停留場所６１だけが図６に関して詳細に表され説明されているが、第２及び第３の停留場所６２及び６３が、同じ構造を有し同様に動作することができることも理解すべきである。
【００１９】
フィンガー４１ａが一般に三角形に形作られたノッチ６８ａ中に受け入れられ、位置決め部材６９ａによってラッチされている場合、台は、ポール２５に沿って上側に移動しないように、制止する。位置決め部材６９ａによって受け入れられたフィンガー４１ａは、コイル・バネ２７のバイアス力に対抗する。したがって、３個のトイレット・ペーパ・ロール７１、７２及び７３がポール２５上に置かれたとき、それらは、最上位のロール７３が容器１０の上部に隣接して、台３０によってつるされ、第１の位置にロックされること（図３に示すように）を理解することができる。一実施例では、バネ２７は、台３０上に置かれる品物の重量に関する固有のバイアス力を加えるように、調整される。たとえば、ディスペンサ１０は、３個のトイレット・ペーパのロール７１、７２及び７３を取り出すように設計された場合、３個のロールの標準重量は分かるはずであり、その重量が加えられたとき完全に収縮することになる、使用する調整されたバネも分かるはずである。さらに、代替実施例では、調整されたバネは、第１のロール７１が取り外されたとき１／３だけ圧縮解除され、第２のロール７２が取り外されたとき２／３だけ圧縮解除され、最後の第３のロール７３が取り外されたとき完全に圧縮解除されるように、設計されるはずである。言い換えると、調整されたバネによって、容器１０内の品物を自動的に割り出し、配置することができる。一実施例では、調整されたバネ２７が、（３箇所の）所定の位置に品物を正確に配置するようには、微調整することができない場合、又はトイレット・ペーパ・ロールが、一般的な重量のものでない場合、フィンガー４１及び位置決め部材６９などの他の割り出し手段が、そのようなバネ２７と一緒に設けられる。
【００２０】
第１の位置から台３０を移動するために、トイレット・ペーパ・ロール７３は、ふた１８を持ち上げてロール７３を取り出すことによって、最上位位置から取り出される。ロール７３を取り出す直前に、他のロール７１及び７２を押すように、わずかに下側に圧力を加えると、それによって次に台３０がわずかに下側に押される（図３の矢印Ｄの方向）。そのような下側の移動によって、フィンガー４１ａは、第１の位置決め部材６９ａから離れてノッチから出て下側に移動することが可能になる。図３に示すように、フィンガー４１ａが第１の位置決め部材６９ａによってラッチされているとき、旋回アーム４０は、回転させられている（左側へ約５°）。フィンガーが位置決め部材６９ａから自由になったとき、旋回アーム４０は、自由に動くことが可能になり、重力によって、フィンガー４１がメイン・トラック５１中に移動することになり、旋回アーム４０は、垂直姿勢になるように配置される。最上位のトイレット・ペーパ・ロール７３を取り出したとき、したがって台３０は、自由になって、バネ２７のバイアス力によって上側に移動する。台３０は、ポール２５に沿って移動することになり、同時にフィンガー４１（たとえば、図５に示すフィンガー４１ｄ）は、フィンガー４１が第２の停留場所６２に達するまで、メイン・トラック５１中を上側に進むことになる（図３の矢印Ｕによって示すように）。
【００２１】
第２の停留場所６２において、フィンガー４１（たとえば、図６のフィンガー４１ｅ）は、下側頂点ポイント７５（図６参照）に達することになる。（図６に第１の停留場所が示されているが、頂点７５など、その形状は、第２及び第３の停留場所６２及び６３中に存在し、図６を参照して説明することを理解すべきである）。下側頂点７５は、トラック５１を分岐させるように作用し、上昇トラック６５ａ、ｂ、ｃ及び下降トラック６６ａ、ｂ、ｃを形成する。上側頂点８５は、下降トラック６６ａ、ｂ、ｃを部分的に、やはり構成する傾斜面８０を含む。上昇トラック６５と下降トラック６６の間に島８１が形成され、それは、上側及び下側の頂点８５及び７５と、傾斜面７７と、傾斜面８０とを含む。
【００２２】
頂点７５は、メイン・トラック５１の縦軸の（右）側に片寄らされ、したがってフィンガー４１がメイン・トラックに沿って上側に進み続けたとき、フィンガー４１は、頂点７５及び傾斜面７７に当接し、それによってフィンガーは、上昇トラック６５ｂ中に進行させられることになる。上昇トラック６５ｂの上部に、位置決め部材６９ｂが存在する。一実施例では、フィンガー４１ｂは、ダイアモンド形状の断面を有することができ、位置決め部材６９ｂが形成するノッチ６８ｂは、確実に係合するために、やはりフィンガー４１に対応する三角形の形状を有する（図５参照）。したがって、フィンガー４１がトラック５０に沿ってたどる経路を制御するために、フィンガー４１がトラック５０の形状及び表面と相互作用を持つように、フィンガー４１が所定の相互作用を有する形状を有することも、本発明の特徴であることを理解すべきである。たとえば、フィンガー４１ｅのダイアモンドの相互作用を有する形状によって、ダイアモンド形状の上側縁部が傾斜面７７に沿って容易に滑ることになるように、フィンガー４１が傾斜面７７に当接し、旋回アーム４０を左側へ上昇トラック６５ａ中に移動させることが可能になる（図６に示すように）。他の機能を有する容器のために異なって構成されたトラック５０中でフィンガー４１の経路を制御することができる、他の相互作用を有する形状を設けることもできる。位置決め部材領域６９においてフィンガーを確実にラッチすることになる、他の形状のフィンガー４１及び位置決め部材６９を設けることができることも理解することができる。バネのバイアス力は、位置決め部材６９に対して上側にフィンガー４１を押し、第２の停留場所において第２の位置で所定の位置にフィンガーをラッチさせることになる。
【００２３】
第２のトイレット・ペーパのロール７２が使い果たされたとき、台３０は、上記の第１の停留場所６１について議論したように、上部のロール７２をわずかに押し下げて、旋回アーム４０のフィンガー４１をノッチ６９ｂから取り外すことによって、その第２の位置６２からリリースすることができる。旋回アーム４０及び台３０は、バネ２７による付勢によって、メイン・トラック５１に沿って上側に第３の停留場所６３に進む。フィンガー４１は、上昇トラック６５ｃを進み、位置決め部材６９ｃによってロックされることになる。
【００２４】
第３のトイレット・ペーパのロール７３が使われたとき、そのロールを取り外し、３個の新しいロールを容器１０中に置くことができる。３個のロール７１、７２及び７３の重量及び／又はユーザが手で押し下げることによって、台３０がトラック５０に沿って下側に移動させられる。各場所６１、６２及び６３において、旋回アームは、ダイアモンド形状のフィンガー４１と係合しフィンガー４１ｂを（図５に示すように右側に）押す傾斜トラック面８０（図６参照）によって、下降トラック６６ａ、ｂ、ｃのそれぞれをたどる。上側の頂点ポイント８５（図６）は、メイン・トラック５１の縦軸から（左側に）片寄らされ、したがってフィンガー４１ｄは、上昇トラック６５ａ及び位置決め部材６９ａを迂回し、下降トラック６６ａに受け入れられる（図６に示すように）。各場所６１、６２及び６３では、フィンガー４１は、旋回アーム４０が第１の（最下位の）場所６１に達するまで、下側に誘導される。一実施例では、台３０に対する下向きの力を取り除くと、バネ２７によって、ノッチ６９ａにフィンガー４１をはめ直すことが可能になる。
【００２５】
図７に示すように、台３０及びカラー３２は、所定の位置に保持され、フィンガー４１がトラック５０内で滑らかに動作することができるように、溝２９中を進む係合部材４５によって回転が防止される。一実施例では、係合部材４５は、台３０の進行を遅くさせる摩擦軸受部材を含む。部材４５は、たとえばギア４５を含むことができ、溝は、鋸歯状のトラック２９である。ギア４５は、摩擦を与えギア４５の回転を遅くし、それによって次いでポール２５を上下する台３０の進行を遅くさせるように、制動油を有することができる。そのような摩擦軸受部材４５は、台３０がポール２５の上部又は底部にあるとき、トラック５０中でのフィンガー４１の自己作動を妨げるために、起こり得るバネ２７の跳ね返り動作をすべて防止することができる。摩擦軸受部材４５は、フィンガー４１上の磨耗を減少するために、台３０を遅くさせる手段にもなる。代替実施例では、係合部材４５は、台のカラー中の開口部に貫通して挿入されるピンを含むことができ、ピンは、台とカラーを単一の軸方向の姿勢に維持するように、ガイド溝中を進む。
【００２６】
したがって、本発明は、品物が加えられた、又はそこから取り出されたとき、ユーザが手動で調節する外部タブ又は位置決め部材の必要なしに、所定の割り出された位置に品物を自動的に配置する、容器及び割出し装置を提供することを理解すべきである。容器へ品物を加える又はそこから取り出すことによってだけで、品物が自動的に配置される。
【００２７】
前述の説明及びそれに伴う説明に述べた事柄は、例示するためのみで、限定するものとしてではなく、提示したものである。具体的な実施例を示し説明してきたが、より広い出願者の寄与の面から逸脱することなく、変更及び修正を実施することができることは、当業者に明らかなはずである。保護が求められる実際の範囲は、添付の特許請求の範囲によって、その観点から見たとき、従来技術に基づいたとき、定義されるものと企図する。
【図面の簡単な説明】
【００２８】
【図１】本発明の容器の斜視図である。
【図２】図１の容器の、部分的に切断された分解側面図である。
【図３】トイレット・ペーパ・ロールを表し、組み立てられた、図２の容器の内部構成要素の側面図である。
【図４】図３の内部構成要素の斜視図である。
【図５】図４の容器のポールの、断片的で拡大した斜視図である。
【図５ａ】本発明の旋回アームの拡大斜視図である。
【図６】図４のライン６−６で取られた、ポールの拡大断面図である。
【図７】図４のライン７−７で取られた、ポールの拡大断面図である。
【図１】
2008540273.tif 000003
【図２】
2008540273.tif 000004
【図３】
2008540273.tif 000005
【図４】
2008540273.tif 000006
【図５】
2008540273.tif 000007
【図５Ａ】
2008540273.tif 000008
【図６】
2008540273.tif 000009
【図７】
2008540273.tif 000010
【国際調査報告】
2008540273.tif 000011